(57)【特許請求の範囲】
【請求項１】
洗濯物を収納し略水平方向に回転軸を有する回転ドラムと、前記回転ドラムを駆動するモータと、送風手段を有する循環経路に設け前記回転ドラム内の湿気を含む温風を水で直接熱交換する熱交換器と、前記循環経路に設けた温風ヒータと、洗濯行程と乾燥行程とを制御する制御手段とを備え、前記制御手段は、洗濯行程のみを行う場合は、洗濯行程の後半で前記温風ヒータに所定時間通電するようにし、洗濯行程と乾燥行程を連続して行う場合は、前記洗濯行程の後半での前記温風ヒータへの通電を行わないようにしたドラム式洗濯乾燥機。
【請求項２】
温風ヒータは、複数のヒータで構成し、制御手段は、前記温風ヒータへの通電を、前記複数のヒータに時刻を変えて一つのヒータずつ所定時間通電するようにした請求項１記載のドラム式洗濯乾燥機。
【請求項３】
制御手段は、温風ヒータへの通電は、最終すすぎの給水時または最終脱水の回転が止まるまでの惰性回転時に行うようにした請求項１または２に記載のドラム式洗濯乾燥機。
【請求項４】
温風ヒータへ通電する所定時間は、前記温風ヒータの表面に付着した水滴が蒸発して乾くのに十分な時間である請求項１〜３のいずれか１項に記載のドラム式洗濯乾燥機。
【請求項５】
洗濯物を収納し略水平方向に回転軸を有する回転ドラムと、前記回転ドラムを駆動するモータと、回転ドラム内の洗濯水を加熱する温水ヒータと、洗濯行程と乾燥行程とを制御する制御手段とを備え、前記制御手段は、洗濯行程のみを行う場合は、洗濯行程の最後で前記温水ヒータに所定時間通電するようにし、洗濯行程と乾燥行程を連続して行う場合は、前記洗濯行程の最後での前記温水ヒータへの通電を行わないようにしたドラム式洗濯乾燥機。
【請求項６】
制御手段は、温水ヒータへの通電は、最終脱水の後または最終脱水の回転が止まるまでの惰性回転時に行うようにした請求項５記載のドラム式洗濯乾燥機。
【請求項７】
温水ヒータへ通電する所定時間は、前記温水ヒータの表面に付着した水滴が蒸発して乾くのに十分な時間である請求項５または６に記載のドラム式洗濯乾燥機。
【請求項８】
制御手段は、温風ヒータまたは温水ヒータへの通電は、モータへの通電が行われていないときに行うようにした請求項１〜７のいずれか１項に記載のドラム式洗濯乾燥機。
【発明の詳細な説明】
【０００１】
【発明の属する技術分野】
本発明は、略水平方向に設けた回転軸を中心に回転自在に配設した回転ドラム内で洗濯物を洗濯、乾燥、または洗濯と乾燥を連続して行うドラム式洗濯乾燥機に関するものである。
【０００２】
【従来の技術】
従来、この種のドラム式洗濯乾燥機は図６に示すように構成していた。以下、その構成について説明する。
【０００３】
図に示すように、回転ドラム１は、外周部に多数の通水孔２を全面に設け、外槽３内に回転自在に配設している。回転ドラム１の回転中心に略水平方向に設けた回転軸４の一端を固定し、回転軸４の他端にドラムプーリー５を固定している。モータ６は、ベルト７により従動プーリー５と連結し、回転ドラム１を回転駆動する。回転ドラム１の開口部に蓋８を開閉自在に設けている。回転ドラム１に温風供給手段（図示せず）より温風を供給するように構成している。温風供給手段は、一般に温風ヒータと回転ファンから構成されている。
【０００４】
外槽３は、洗濯乾燥機本体９よりばね体１０で吊り下げ、防振ダンパー１１により脱水時の振動が洗濯乾燥機本体９に伝達されないように防振支持するとともに、脱水時の振動を低減するバランサー１２を設けている。温水ヒータ１３は、外槽３内、すなわち回転ドラム１内の洗濯水を加熱するものである。制御装置１４は、モータ６、温水ヒータ１３、温風供給手段などの動作を制御し、入力設定手段（図示せず）により異なる洗い時間、すすぎ回数、脱水時間を有する「標準コース」、「スピーディー」コース、「毛布」コース、「ウール」コースなどの洗濯行程と、乾燥行程とを設定可能とし、設定したコースを逐次制御するようにしている。
【０００５】
上記構成において動作を説明すると、蓋８を開いて回転ドラム１内に洗濯物を投入し、洗濯行程を設定して運転を開始すると、給水して回転ドラム１をモータ６によって低速で回転駆動し、回転ドラム１内の洗濯物は持ち上げられて水面上に落下されて洗濯される。このとき、温水ヒータ１３に通電して外槽３内の洗濯水を加熱して洗浄率を向上させることができる。すすぐ場合にも洗濯する場合と同様の動作を行う。すすぎの後の脱水では、回転ドラム１は高速で回転駆動され、洗濯物は遠心脱水される。
【０００６】
乾燥行程を設定して運転を開始すると、回転ドラム１をモータ６によって低速で回転駆動し、回転ドラム１に温風供給手段（図示せず）より温風を供給して洗濯物は乾燥する。
【０００７】
また、洗濯行程と乾燥行程との連続を設定して運転を開始すると、回転ドラム１内に投入された洗濯物は、洗濯、すすぎ、脱水され、乾燥行程に入って温風供給手段より回転ドラム１に温風を供給され乾燥する。
【０００８】
【発明が解決しようとする課題】
このような従来の構成では、使用者が日常的に洗濯行程のコースのみを選択して運転を続けていると、温風供給手段の温風ヒータに通電されることがないので、温風ヒータは洗濯行程による湿気の中に常に置かれていることになる。温風ヒータとしてはシーズヒータが一般的である。シーズヒータは公知のものであり、ニクロム線と外管とが電気的に絶縁されている。このシーズヒータを高い湿度中に置くと外管の表面に水滴が付着し易く、錆や腐食により寿命が低下するという問題を有していた。
【０００９】
また、温水ヒータ１３も温風ヒータと同じくシーズヒータを使用する。温水ヒータ１３は、洗濯行程の終了時には必ず水滴が付着しているので錆や腐食により寿命が低下するという問題を有していた。
【００１０】
本発明は上記課題を解決するもので、洗濯中の湿度により温風ヒータの表面に付着した水滴を乾かして、温風ヒータの寿命の低下を防止することを第１の目的としている。
【００１１】
また、洗濯中に温水ヒータの表面に付着した水滴を乾かして、温水ヒータの寿命の低下を防止することを第２の目的としている。
【００１２】
【課題を解決するための手段】
本発明は上記第１の目的を達成するために、洗濯物を収納し略水平方向に回転軸を有する回転ドラムをモータにより駆動し、送風手段を有する循環経路に回転ドラム内の湿気を含む温風を水で直接熱交換する熱交換器を設けるとともに、温風ヒータを設ける。制御手段は、洗濯行程と乾燥行程とを制御するとともに、洗濯行程のみを行う場合は、洗濯行程の後半で温風ヒータに所定時間通電するようにし、洗濯行程と乾燥行程を連続して行う場合は、前記洗濯行程の後半での前記温風ヒータへの通電を行わないようにしたものである。
【００１３】
これにより、洗濯中の湿度により温風ヒータの表面に付着した水滴を乾かすことができ、温風ヒータの寿命の低下を防止することができる。
【００１４】
また、第２の目的を達成するために、洗濯物を収納し略水平方向に回転軸を有する回転ドラムをモータにより駆動し、回転ドラム内の洗濯水を温水ヒータにより加熱する。制御手段は、洗濯行程と乾燥行程とを制御するとともに、洗濯行程のみを行う場合は、洗濯行程の最後で温水ヒータに所定時間通電するようにし、洗濯行程と乾燥行程を連続して行う場合は、前記洗濯行程の最後での前記温水ヒータへの通電を行わないようにしたものである。
【００１５】
これにより、洗濯中に温水ヒータの表面に付着した水滴を乾かすことができ、温水ヒータの寿命の低下を防止することができる。
【００１６】
【発明の実施の形態】
本発明の請求項１に記載の発明は、洗濯物を収納し略水平方向に回転軸を有する回転ドラムと、前記回転ドラムを駆動するモータと、送風手段を有する循環経路に設け前記回転ドラム内の湿気を含む温風を水で直接熱交換する熱交換器と、前記循環経路に設けた温風ヒータと、洗濯行程と乾燥行程とを制御する制御手段とを備え、前記制御手段は、洗濯行程のみを行う場合は、洗濯行程の後半で前記温風ヒータに所定時間通電するようにし、洗濯行程と乾燥行程を連続して行う場合は、前記洗濯行程の後半での前記温風ヒータへの通電を行わないようにしたものであり、洗濯中の湿度により温風ヒータの表面に水滴が付着することを防ぐことができ、温風ヒータの寿命を長くできるとともに、洗濯行程と乾燥行程を連続して行う場合は、乾燥行程で温風ヒータに通電され、温風ヒータの表面に付着した水滴は乾くので、洗濯行程には通電しないことで、電力を無駄に使用しないようにすることができる。
【００１７】
請求項２に記載の発明は、上記請求項１に記載の発明において、温風ヒータは、複数のヒータで構成し、制御手段は、前記温風ヒータへの通電を、前記複数のヒータに時刻を変えて一つのヒータずつ所定時間通電するようにしたものであり、温風ヒータに通電する電流を少なくすることができ、電力量が瞬時に大きくならないようにすることができる。
【００１８】
請求項３に記載の発明は、上記請求項１または２に記載の発明において、制御手段は、温風ヒータへの通電は、最終すすぎの給水時または最終脱水の回転が止まるまでの惰性回転時に行うようにしたものであり、モータと温風ヒータとに同時に通電することがなく、電力量が瞬時に大きくならないようにすることができる。
【００１９】
請求項４に記載の発明は、上記請求項１〜３に記載の発明において、温風ヒータへ通電する所定時間は、前記温風ヒータの表面に付着した水滴が蒸発して乾くのに十分な時間であるものであり、温風ヒータへの所定時間の通電により温風ヒータの表面に付着した水滴を乾かすことができる。
【００２０】
請求項５に記載の発明は、洗濯物を収納し略水平方向に回転軸を有する回転ドラムと、前記回転ドラムを駆動するモータと、回転ドラム内の洗濯水を加熱する温水ヒータと、洗濯行程と乾燥行程とを制御する制御手段とを備え、前記制御手段は、洗濯行程のみを行う場合は、洗濯行程の最後で前記温水ヒータに所定時間通電するようにし、洗濯行程と乾燥行程を連続して行う場合は、前記洗濯行程の最後での前記温水ヒータへの通電を行わないようにしたものであり、洗濯中に温水ヒータの表面に付着した水滴を乾かすことができ、温水ヒータの寿命を長くできるとともに、洗濯行程と乾燥行程を連続して行う場合は、乾燥行程で回転ドラム内に温風が供給されるため、温水ヒータの表面に付着した水滴を乾かすことができ、洗濯行程の最後で温風ヒータへ通電しないことで、電力を無駄に使用しないようにすることができる。
【００２１】
請求項６に記載の発明は、上記請求項５に記載の発明において、制御手段は、温水ヒータへの通電は、最終脱水の後または最終脱水の回転が止まるまでの惰性回転時に行うようにしたものであり、モータと温水ヒータとに同時に通電することがなく、電力量が瞬時に大きくならないようにすることができる。
【００２２】
請求項７に記載の発明は、上記請求項５または６に記載の発明において、温水ヒータへ通電する所定時間は、前記温水ヒータの表面に付着した水滴が蒸発して乾くのに十分な時間であるものであり、温水ヒータへの所定時間の通電により温水ヒータの表面に付着した水滴を乾かすことができる。
【００２３】
請求項８に記載の発明は、上記請求項１〜７のいずれか１つに記載の発明において、制御手段は、温風ヒータまたは温水ヒータへの通電は、モータへの通電が行われていないときに行うようにしたものであり、モータと温風ヒータまたは温水ヒータとに同時に通電することがなく、電力量が瞬時に大きくならないようにすることができる。
【００２４】
【実施例】
以下、本発明の実施例について、図面を参照しながら説明する。なお、従来例と同じ構成のものは同一符号を付して説明を省略する。
【００２５】
（実施例１）
図１および図２に示すように、第１のモータ（モータ）１５は、回転ドラム１を回転数Ｎ１（たとえば、５３ｒｐｍ）で回転させて、洗濯またはすすぎをするものであり、第２のモータ（モータ）１６は、回転ドラム１を回転数Ｎ２（たとえば、１０００ｒｐｍ）で回転させて脱水する。これら第１のモータ１５および第２のモータ１６は、インダクションモータで構成し、それぞれベルト１７、１８を介して従動プーリー１９に連結している。
【００２６】
従動プーリー１９は、２種の減速比を有しており、第１のモータ１５をベルト１７を介して減速比が大きい従動プーリー１９ａと連結し、第２のモータ１６をベルト１８を介して減速比が小さい従動プーリー１９ｂと連結し、回転ドラム１の回転中心に一端を固定した回転軸４の他端に固定している。
【００２７】
送風ファン２０は、温風ヒータ２１とともに温風供給手段を構成するもので、ファンモータ２２により駆動する。熱交換器２３は、一端を回転ドラム１に連通し、他端を送風ファン２０、送風ダクト２４を通して回転ドラム１に連通して循環経路２５を形成し、回転ドラム１内の湿気を含んだ温風を循環して、熱交換して除湿する。
【００２８】
制御装置２６は、第１のモータ１５、第２のモータ１６などを制御するもので、図３に示すように構成している。制御手段２７は、マイクロコンピュータで構成し、双方向性サイリスタなどで構成したパワースイッチング手段２８を介して、温水ヒータ１３、第１のモータ１５、第２のモータ１６、温風ヒータ２１、ファンモータ２３、給水弁２９、排水ポンプ３０などを制御し、洗濯、すすぎ、脱水の一連の洗濯行程を逐次制御し、洗濯行程につづいて乾燥行程を制御する。
【００２９】
温風ヒータ２１は、第１のヒータ２１ａと第２のヒータ２１ｂとで構成している。温水ヒータ１３は外槽３内、すなわち回転ドラム１内の洗濯水を加熱し、給水弁２９は外槽３内の給水し、排水ポンプ３０は外槽３内の洗濯水を排水するものである。
【００３０】
入力設定手段３１は、使用者が必要な設定コース、動作のスタートなどを入力するもので、「洗濯行程と乾燥行程とを運転」、「洗濯行程を運転」、「乾燥行程を運転」を設定する洗濯・乾燥設定スイッチ（図示せず）を有し、制御手段２７に入力している。表示手段３２は、入力設定手段３１による設定内容、動作状態などを表示する。回転数検知手段３３は、第１のモータ１５の回転数を検知することで回転ドラム１の回転数を検知し、制御手段２７に入力している。記憶手段３４は、一連の制御に必要なデータなどを記憶している。なお、３５は商用電源、３６は電源スイッチである。
【００３１】
制御手段２７は、洗濯行程の後半で第１のモータ１５および第２のモータ１６に通電していないとき、たとえば、最終すすぎの給水時に温風ヒータ２１に所定時間（たとえば、１０秒間）通電するようにしている。このとき、温風ヒータ２１の第１のヒータ２１ａと第２のヒータ２１ｂとで、時刻を変えて一つずつ所定時間通電するようにしている。また、洗濯・乾燥設定スイッチにより、洗濯行程と乾燥行程とを連続して行う設定のときには、洗濯行程での温風ヒータ２１への通電は行わないようにしている。
【００３２】
上記構成において図４を参照しながら動作を説明すると、ステップ４０で動作を開始し、ステップ４１で、洗濯・乾燥設定スイッチにより、洗濯行程と乾燥行程とを連続して行う設定かどうかを判定し、洗濯行程のみを設定している場合は、制御手段２７は回転ドラム１内に給水弁２９をオンして給水し、洗い、すすぎ、脱水を順次行う。これらの動作については説明を省略する。
【００３３】
すすぎは、給水、排水をして複数回行うが、その最終すすぎの給水時に、ステップ４２で、第１のヒータ２１ａの通電をオンし、ステップ４３で所定時間（１０秒間）経過すると、ステップ４４で第１のヒータ２１ａの通電をオフする。ステップ４５で５秒間経過すると、ステップ４６に進み第２のヒータ２１ｂの通電をオンする。そして、ステップ４７で所定時間（１０秒間）経過すると、ステップ４８で第２のヒータ２１ｂの通電をオフし、次行程に進む。
【００３４】
これらの動作によって、第１のヒータ２１ａと第２のヒータ２１ｂの表面の温度が上昇し、表面に付着した水滴は蒸発して乾く。こうして、表面の水滴を乾かすことで温風ヒータ２１の錆や腐食を防止することができ、温風ヒータ２１の寿命を延ばすことができる。
【００３５】
ステップ４１で、洗濯行程と乾燥行程とを連続して行う設定のときには、次行程に進み、洗濯行程での温風ヒータ２１への通電は行わない。すなわち、乾燥行程では温風ヒータ２１に通電され、温風ヒータ２１の表面に付着した水滴は乾くので、洗濯行程には通電しないことで、電力を無駄に使用しないようにすることができる。
【００３６】
また、第１のヒータ２１ａと第２のヒータ２１ｂの通電を時刻を変えて一つずつ所定時間通電するようにしたことで、一時的に電力量が増加するのを防ぐことができ、電力量増加による電圧低下によって、家庭内の照明が暗くなるという悪影響を防ぐことができる。
【００３７】
また、第１のモータ１５と第２のモータ１６とが通電していないときに、第１のヒータ２１ａと第２のヒータ２１ｂの通電を行うことで、同じように一時的に電力量が増加するのを防ぐことができ、電力量増加によって、家庭内の照明が暗くなるという悪影響を防ぐことができる。
【００３８】
なお、本実施例では、第１のヒータ２１ａに通電した後、第２のヒータ２１ｂに通電するようにしているが、第２のヒータ２１ｂに通電した後、第１のヒータ２１ａに通電するようにしてもよいことはいうまでもない。また、第１のヒータ２１ａと第２のヒータ２１ｂに通電する所定時間は、１０秒間としているが、水滴が蒸発して乾くのに十分な時間でよい。
【００３９】
また、温風ヒータ２１への結露は、洗濯水による湿気によって発生するのであるから、温風ヒータ２１への通電による乾かす動作は、洗濯行程の後半で行うと一旦乾いた温風ヒータ２１が再び結露する恐れが減少する。本実施例では、温風ヒータ２１への通電は最終すすぎの給水時に行っているが、洗濯行程の後半ならば効果は同じである。すなわち、脱水で回転ドラムが高速回転し、第２のモータ１５への通電をオフにした後の回転が止まるまでの惰性回転時に温風ヒータ２１へ通電を行ってもよい。
【００４０】
（実施例２）
図３における制御手段２７は、洗濯行程の最後で第１のモータ１５および第２のモータ１６に通電していないとき、たとえば、最終脱水の後に温水ヒータ１３に所定時間（たとえば、１０秒間）通電するようにしている。また、洗濯・乾燥設定スイッチにより、洗濯行程と乾燥行程とを連続して行う設定のときには、洗濯行程での温水ヒータ１３への通電は行わないようにしている。他の構成は上記実施例１と同じである。
【００４１】
上記構成において図４を参照しながら動作を説明すると、ステップ５０で動作を開始し、ステップ５１で、洗濯・乾燥設定スイッチにより、洗濯行程と乾燥行程とを連続して行う設定かどうかを判定し、洗濯行程のみを設定している場合は、制御手段２７は回転ドラム１内に給水弁２９をオンして給水し、洗い、すすぎ、脱水を順次行う。これらの動作については説明を省略する。
【００４２】
洗濯行程の最終脱水の後に、ステップ５２で温水ヒータ１３に通電をオンし、ステップ５３で所定時間（１０秒間）経過した後、ステップ５４で温水ヒータ１３の通電をオフする。こうして、温水ヒータ１３の表面に付着した水滴を乾かすことで、温水ヒータ１３の錆や腐食を防止し、温水ヒータ１３の寿命を延ばすことができる。
【００４３】
ステップ５１で、洗濯行程と乾燥行程とを連続して行う設定のときには、次行程に進み、洗濯行程での温水ヒータ１３への通電は行わない。すなわち、乾燥行程では、回転ドラム１内に温風が供給されるため、温水ヒータ１３の表面に付着した水滴を乾かすことができ、洗濯行程の最後で温風ヒータ１３へ通電しないことで、電力を無駄に使用しないようにすることができる。
【００４４】
また、第１のモータ１５と第２のモータ１６とが通電していないときに、温水ヒータ１３の通電を行うことで、一時的に電力量が増加するのを防ぐことができ、電力量増加による電圧低下によって、家庭内の照明が暗くなるという悪影響を防ぐことができる。
【００４５】
なお、本実施例では、洗濯行程の最終脱水の後に、温水ヒータ１３に通電をオンするようにしているが、脱水で回転ドラム１が高速回転し、第２のモータ１６への通電をオフにした後の回転が止まるまでの惰性回転時に、温水ヒータ１３へ通電を行うようにしてもよい。また、温水ヒータ１３に通電する所定時間は、１０秒間としているが、水滴が蒸発して乾くのに十分な時間でよい。
【００４６】
【発明の効果】
以上のように本発明の請求項１に記載の発明によれば、洗濯物を収納し略水平方向に回転軸を有する回転ドラムと、前記回転ドラムを駆動するモータと、送風手段を有する循環経路に設け前記回転ドラム内の湿気を含む温風を水で直接熱交換する熱交換器と、前記循環経路に設けた温風ヒータと、洗濯行程と乾燥行程とを制御する制御手段とを備え、前記制御手段は、洗濯行程のみを行う場合は、洗濯行程の後半で前記温風ヒータに所定時間通電するようにし、洗濯行程と乾燥行程を連続して行う場合は、前記洗濯行程の後半での前記温風ヒータへの通電を行わないようにしたものであり、洗濯中の湿度により温風ヒータの表面に水滴が付着することを防ぐことができ、温風ヒータの寿命を長くできるとともに、洗濯行程と乾燥行程を連続して行う場合は、乾燥行程で温風ヒータに通電され、温風ヒータの表面に付着した水滴は乾くので、洗濯行程には通電しないことで、電力を無駄に使用しないようにすることができる。また、温風ヒータが腐食すると、シーズヒータのニクロム線と外管との間の絶縁抵抗が減少するが、腐食を防止することで、安全性を向上することができる。
【００４７】
また、請求項２に記載の発明によれば、温風ヒータは、複数のヒータで構成し、制御手段は、前記温風ヒータへの通電を、前記複数のヒータに時刻を変えて一つのヒータずつ所定時間通電するようにしたから、温風ヒータに通電する電流を少なくすることができ、電力量が瞬時に大きくならないようにすることができ、電力量増加による電圧低下によって、家庭内の照明が暗くなるという悪影響を防ぐことができる。
【００４８】
また、請求項３に記載の発明によれば、制御手段は、温風ヒータへの通電は、最終すすぎの給水時または最終脱水の回転が止まるまでの惰性回転時に行うようにしたから、モータと温風ヒータとに同時に通電することがなく、電力量が瞬時に大きくならないようにすることができる。
【００４９】
また、請求項４に記載の発明によれば、温風ヒータへ通電する所定時間は、前記温風ヒータの表面に付着した水滴が蒸発して乾くのに十分な時間であるものであり、温風ヒータへの所定時間の通電により温風ヒータの表面に付着した水滴を乾かすことができる。
【００５０】
また、請求項５に記載の発明によれば、洗濯物を収納し略水平方向に回転軸を有する回転ドラムと、前記回転ドラムを駆動するモータと、回転ドラム内の洗濯水を加熱する温水ヒータと、洗濯行程と乾燥行程とを制御する制御手段とを備え、前記制御手段は、洗濯行程のみを行う場合は、洗濯行程の最後で前記温水ヒータに所定時間通電するようにし、洗濯行程と乾燥行程を連続して行う場合は、前記洗濯行程の最後での前記温水ヒータへの通電を行わないようにしたから、洗濯中に温水ヒータの表面に付着した水滴を乾かすことができ、温水ヒータの寿命を長くできるとともに、洗濯行程と乾燥行程を連続して行う場合は、乾燥行程で回転ドラム内に温風が供給されるため、温水ヒータの表面に付着した水滴を乾かすことができ、洗濯行程の最後で温風ヒータへ通電しないことで、電力を無駄に使用しないようにすることができる。また、温水ヒータが腐食すると、シーズヒータのニクロム線と外管との間の絶縁抵抗が減少するが、腐食を防止することで、安全性を向上することができる。
【００５１】
また、請求項６に記載の発明によれば、制御手段は、温水ヒータへの通電は、最終脱水の後または最終脱水の回転が止まるまでの惰性回転時に行うようにしたから、モータと温水ヒータとに同時に通電することがなく、電力量が瞬時に大きくならないようにすることができ、電力量増加による電圧低下によって、家庭内の照明が暗くなるという悪影響を防ぐことができる。
【００５２】
また、請求項７に記載の発明によれば、温水ヒータへ通電する所定時間は、前記温水ヒータの表面に付着した水滴が蒸発して乾くのに十分な時間であるものであり、温水ヒータへの所定時間の通電により温水ヒータの表面に付着した水滴を乾かすことができる。
【００５３】
また、請求項８に記載の発明によれば、制御手段は、温風ヒータまたは温水ヒータへの通電は、モータへの通電が行われていないときに行うようにしたものであり、モータと温風ヒータまたは温水ヒータとに同時に通電することがなく、電力量が瞬時に大きくならないようにすることができる。
【図面の簡単な説明】
【図１】本発明の第１の実施例のドラム式洗濯乾燥機の一部切欠した斜視図
【図２】同ドラム式洗濯乾燥機の断面図
【図３】同ドラム式洗濯乾燥機のブロック回路図
【図４】同ドラム式洗濯乾燥機の動作フローチャート
【図５】本発明の第２の実施例のドラム式洗濯乾燥機の動作フローチャート
【図６】従来のドラム式洗濯乾燥機の断面図
【符号の説明】
１  回転ドラム
４  回転軸
１５  第１のモータ（モータ）
１６  第２のモータ（モータ）
２０  送風ファン（送風手段）
２１  温風ヒータ
２３  熱交換器
２５  循環経路
２７  制御手段
【図１】
0003629884.tif 000002
【図２】
0003629884.tif 000003
【図３】
0003629884.tif 000004
【図４】
0003629884.tif 000005
【図５】
0003629884.tif 000006
【図６】
0003629884.tif 000007